(57)【要約】ドライブ情報と情報保存媒体の状態についての情報とが記録された情報保存媒体及びその記録方法が開示されている。この開示された情報保存媒体は、ドライブ情報と前記情報保存媒体の状態情報とが記録されるドライブ＆ディスクゾーンを有する、データ記録が可能なゾーンを含む領域と、ユーザデータ領域とを備え、前記ドライブ＆ディスクゾーンは、複数の物理的クラスタまたはＥＣＣブロックを含み、前記ドライブ情報と前記情報保存媒体の状態情報とは、少なくとも一つの物理的クラスタまたはＥＣＣブロックに記録されることを特徴とする。前記構成により、ドライブ情報と情報保存媒体の状態情報とが記録される領域を効率的に使用できる方法を提示し、新たなフォーマットに適用できるドライブ情報と情報保存媒体の状態情報との記録方法を提供する。
2005535056.tif 000002
【特許請求の範囲】
【請求項１】
情報保存媒体において、
ドライブ情報と前記情報保存媒体の状態情報とが記録されるドライブ＆ディスクゾーンを有する、データ記録が可能なゾーンを含む領域と、
ユーザデータ領域とを備え、
前記ドライブ＆ディスクゾーンは、複数の物理的クラスタまたはＥＣＣブロックを含み、
前記ドライブ情報と前記情報保存媒体の状態情報とが少なくとも一つの物理的クラスタまたはＥＣＣブロックに記録されることを特徴とする情報保存媒体。
【請求項２】
前記ドライブ情報と前記情報保存媒体の状態情報とは、新たに更新される度に、前記物理的クラスタまたはＥＣＣブロックと異なる物理的クラスタまたはＥＣＣブロックに記録されることを特徴とする請求項１に記載の情報保存媒体。
【請求項３】
前記ドライブ情報と前記情報保存媒体の状態情報とが新たに更新される度に、前記物理的クラスタまたはＥＣＣブロックの次の物理的クラスタまたはＥＣＣブロックに記録されることを特徴とする請求項２に記載の情報保存媒体。
【請求項４】
前記物理的クラスタまたはＥＣＣブロックは、複数の基本単位で構成され、前記ドライブ情報と前記情報保存媒体の状態情報とがそれぞれ異なる基本単位に順次に記録されることを特徴とする請求項２に記載の情報保存媒体。
【請求項５】
前記物理的クラスタまたはＥＣＣブロックは、複数の基本単位で構成され、前記ドライブ情報と前記情報保存媒体の状態情報とがそれぞれ同じ基本単位に記録されることを特徴とする請求項２に記載の情報保存媒体。
【請求項６】
前記基本単位は、セクターまたはフレームであることを特徴とする請求項４に記載の情報保存媒体。
【請求項７】
前記ドライブ情報と前記情報保存媒体の状態情報とが記録された物理的クラスタまたはＥＣＣブロックの次の物理的クラスタまたはＥＣＣブロックに、前記ドライブ情報と前記情報保存媒体の状態情報を複写して反復記録したことを特徴とする請求項４に記載の情報保存媒体。
【請求項８】
前記物理的クラスタまたはＥＣＣブロックの先頭にある基本単位に最新のドライブ情報と前記情報保存媒体の状態情報とが記録され、その次の基本単位に前記ドライブ情報と情報保存媒体の状態情報とが複写されて反復記録されることを特徴とする請求項４に記載の情報保存媒体。
【請求項９】
前記情報保存媒体の状態情報は、新たなＯＰＣデータが記録された領域のアドレス、最終ドライブ情報と最終情報保存媒体の状態情報とが記録された領域のアドレス、最終ユーザデータが記録された領域のアドレス、記録防止情報、セションの数、記録防止情報及びユーザデータが記録された後、次に付加記録が可能であるか否かを表す情報のうち少なくとも一つを含むことを特徴とする請求項１に記載の情報保存媒体。
【請求項１０】
前記情報保存媒体の状態情報は、記録モード情報、ファイルシステムの種類に関する情報、ユーザデータが記録された記録層情報、最終ユーザデータが記録された領域のアドレス及び欠陥管理のためにデータが代替されたスペア領域の最終アドレスのうち少なくとも一つを含むことを特徴とする請求項１に記載の情報保存媒体。
【請求項１１】
前記情報保存媒体の状態情報は、今後ドライブ情報と情報保存媒体の状態情報とが記録される領域のアドレスまたは今後ユーザデータが記録される領域のアドレスを表す情報を含むことを特徴とする請求項１に記載の情報保存媒体。
【請求項１２】
前記領域は、リードイン領域またはリードアウト領域のうち、少なくとも一つであることを特徴とする請求項１に記載の情報保存媒体。
【請求項１３】
情報保存媒体において、
ドライブ情報と前記情報保存媒体の状態情報とが記録されるドライブ＆ディスクゾーンを有する、データ記録が可能なゾーンを含む領域と、ユーザデータ領域と、を備え、
前記ドライブ＆ディスクゾーンは、複数の物理的クラスタまたはＥＣＣブロックを含み、
前記ドライブ情報と前記情報保存媒体の状態情報とが異なる少なくとも一つの物理的クラスタまたはＥＣＣブロックに記録されることを特徴とする情報保存媒体。
【請求項１４】
前記ドライブ情報と前記情報保存媒体の状態情報とが新たに更新される度に、前記物理的クラスタまたはＥＣＣブロックと異なる物理的クラスタまたはＥＣＣブロックに記録されることを特徴とする請求項１３に記載の情報保存媒体。
【請求項１５】
前記ドライブ情報と前記情報保存媒体の状態情報とが新たに更新される度に、前記物理的クラスタまたはＥＣＣブロックの次の物理的クラスタまたはＥＣＣブロックに記録されることを特徴とする請求項１４に記載の情報保存媒体。
【請求項１６】
前記ドライブ情報と前記情報保存媒体の状態情報とは、前記ドライブ＆ディスクゾーンの前から順次に交代に記録されることを特徴とする請求項１４に記載の情報保存媒体。
【請求項１７】
前記ドライブ＆ディスクゾーンが二つのゾーンに分けられ、前記ドライブ情報及び前記情報保存媒体の状態情報のうち、何れか一つが前記二つのゾーンのうち何れか一つのゾーンに記録され、残りの情報は、前記二つのゾーンのうち残りのゾーンに記録されることを特徴とする請求項１４に記載の情報保存媒体。
【請求項１８】
前記ドライブ情報と前記情報保存媒体の状態情報とが記録された物理的クラスタまたはＥＣＣブロックの次の物理的クラスタまたはＥＣＣブロックに前記ドライブ情報と前記情報保存媒体の状態情報とを複写して反復記録したことを特徴とする請求項１３に記載の情報保存媒体。
【請求項１９】
前記物理的クラスタまたはＥＣＣブロックの先頭にある基本単位に、最新のドライブ情報または情報保存媒体の状態情報が記録され、その次の基本単位に前記ドライブ情報または情報保存媒体の状態情報が複写されて反復記録されることを特徴とする請求項１３に記載の情報保存媒体。
【請求項２０】
前記情報保存媒体の状態情報は、新たなＯＰＣデータが記録された領域のアドレス、最終ドライブ情報または最終情報保存媒体の状態情報が記録された領域のアドレス、最終ユーザデータが記録された領域のアドレス、記録防止情報、セションの数及びユーザデータが記録された後、次に付加記録が可能であるか否かを表す情報のうち、少なくとも一つを含むことを特徴とする請求項１３に記載の情報保存媒体。
【請求項２１】
前記情報保存媒体の状態情報は、記録モード情報、ファイルシステムの種類に関する情報、ユーザデータが記録された記録層情報、最終ユーザデータが記録された領域のアドレス及び欠陥管理のためにデータが代替されたスペア領域の最終アドレスのうち少なくとも一つを含むことを特徴とする請求項１３に記載の情報保存媒体。
【請求項２２】
前記情報保存媒体の状態情報は、今後ドライブ情報または情報保存媒体の状態情報が記録される領域のアドレスまたは今後ユーザデータが記録される領域のアドレスを表す情報を含むことを特徴とする請求項１３に記載の情報保存媒体。
【請求項２３】
前記領域は、リードイン領域またはリードアウト領域のうち少なくとも一つであることを特徴とする請求項１３に記載の情報保存媒体。
【請求項２４】
情報保存媒体にデータを記録する方法において、
ユーザデータ領域を除外した領域の書込み可能な領域に備えられたドライブ＆ディスクゾーンが複数の物理的クラスタまたはＥＣＣブロックよりなり、ドライブ情報と情報保存媒体の状態情報とを少なくとも一つの物理的クラスタまたはＥＣＣブロックに記録する段階と、
前記ドライブ情報と前記情報保存媒体の状態情報とが新たに更新される度に、前記物理的クラスタまたはＥＣＣブロックと異なる物理的クラスタまたはＥＣＣブロックに新たなドライブ情報と前記情報保存媒体の状態情報とを記録する段階とを含むことを特徴とする方法。
【請求項２５】
前記ドライブ情報と前記情報保存媒体の状態情報とが新たに更新される度に、最新のドライブ情報と前記情報保存媒体の状態情報とが前記物理的クラスタまたはＥＣＣブロックの次の物理的クラスタまたはＥＣＣブロックに記録されることを特徴とする請求項２４に記載の方法。
【請求項２６】
前記物理的クラスタまたはＥＣＣブロックは、複数の基本単位で構成され、前記ドライブ情報と前記情報保存媒体の状態情報とがそれぞれ異なる基本単位に順次に記録されることを特徴とする請求項２５に記載の方法。
【請求項２７】
前記物理的クラスタまたはＥＣＣブロックは、複数の基本単位で構成され、前記ドライブ情報と前記情報保存媒体の状態情報とがそれぞれ同じ基本単位に記録されることを特徴とする請求項２５に記載の方法。
【請求項２８】
前記基本単位は、セクターまたはフレームであることを特徴とする請求項２６に記載の方法。
【請求項２９】
前記ドライブ情報と前記情報保存媒体の状態情報とが記録された物理的クラスタまたはＥＣＣブロックの次の物理的クラスタまたはＥＣＣブロックに、前記ドライブ情報と前記情報保存媒体の状態情報を複写して反復記録したことを特徴とする請求項２６に記載の方法。
【請求項３０】
前記物理的クラスタまたはＥＣＣブロックの先頭にある基本単位に最新のドライブ情報と前記情報保存媒体の状態情報とが記録され、その次の基本単位に前記ドライブ情報と前記情報保存媒体の状態情報とが複写されて反復記録されることを特徴とする請求項２６に記載の方法。
【請求項３１】
前記情報保存媒体の状態情報は、新たなＯＰＣデータが記録された領域のアドレス、最終ドライブ情報と最終情報保存媒体の状態情報とが記録された領域のアドレス、最終ユーザデータが記録された領域のアドレス、記録防止情報、セションの数及びユーザデータが記録された後、次に付加記録が可能であるか否かを表す情報のうち、少なくとも一つを含むことを特徴とする請求項２４に記載の方法。
【請求項３２】
前記情報保存媒体の状態情報は、記録モード情報、ファイルシステムの種類に関する情報、ユーザデータが記録された記録層情報、最終ユーザデータが記録された領域のアドレス及び欠陥管理のためにデータが代替されたスペア領域の最終アドレスのうち、少なくとも一つを含むことを特徴とする請求項２４に記載の方法。
【請求項３３】
前記情報保存媒体の状態情報は、今後ドライブ情報と前記情報保存媒体の状態情報とが記録される領域のアドレスまたは今後ユーザデータが記録される領域のアドレスを表す情報を含むことを特徴とする請求項２４に記載の方法。
【請求項３４】
前記ユーザデータ領域を除外した領域は、リードイン領域またはリードアウト領域のうち少なくとも一つであることを特徴とする請求項２４に記載の方法。
【請求項３５】
情報保存媒体にデータを記録する方法において、
ユーザデータ領域を除外した領域の書込み可能な領域に備えられたドライブ＆ディスクゾーンが複数の物理的クラスタまたはＥＣＣブロックよりなり、ドライブ情報と前記情報保存媒体の状態情報とを異なる物理的クラスタまたはＥＣＣブロックにそれぞれ記録する段階と、
前記ドライブ情報と前記情報保存媒体の状態情報とが新たに更新される度に、前記物理的クラスタまたはＥＣＣブロックと異なる物理的クラスタまたはＥＣＣブロックに新たなドライブ情報と前記情報保存媒体の状態情報とを記録する段階とを含むことを特徴とする方法。
【請求項３６】
前記ドライブ情報と前記情報保存媒体の状態情報とが新たに更新される度に、前記物理的クラスタまたはＥＣＣブロックの次の物理的クラスタまたはＥＣＣブロックに最新のドライブ情報と前記情報保存媒体の状態情報とが記録されることを特徴とする請求項３５に記載の方法。
【請求項３７】
前記ドライブ情報と前記情報保存媒体の状態情報とが前記ドライブ＆ディスクゾーンの前から順次に交代に記録されることを特徴とする請求項３６に記載の方法。
【請求項３８】
前記ドライブ＆ディスクゾーンが二つのゾーンに分けられ、前記ドライブ情報及び前記情報保存媒体の状態情報のうち、何れか一つは、前記二つのゾーンのうち何れか一つのゾーンに記録され、残りの情報は、前記二つのゾーンのうち残りのゾーンに記録されることを特徴とする請求項３６に記載の方法。
【請求項３９】
前記ドライブ情報と前記情報保存媒体の状態情報とが記録された物理的クラスタまたはＥＣＣブロックの次の物理的クラスタまたはＥＣＣブロックに前記ドライブ情報と前記情報保存媒体の状態情報とを複写して反復記録したことを特徴とする請求項３５に記載の方法。
【請求項４０】
前記物理的クラスタまたはＥＣＣブロックの先頭にある基本単位に最新のドライブ情報または前記情報保存媒体の状態情報が記録され、その次の基本単位に前記ドライブ情報または前記情報保存媒体の状態情報が複写されて反復記録されることを特徴とする請求項３５に記載の方法。
【請求項４１】
前記情報保存媒体の状態情報は、新たなＯＰＣデータが記録された領域のアドレス、最終ドライブ情報または前記情報保存媒体の最終的な状態情報が記録された領域のアドレス、最終ユーザデータが記録された領域のアドレス、記録防止情報、セションの数及びユーザデータが記録された後、次に付加記録が可能であるか否かを表す情報のうち、少なくとも一つを含むことを特徴とする請求項３５に記載の方法。
【請求項４２】
前記情報保存媒体の状態情報は、記録モード情報、ファイルシステムの種類に関する情報、ユーザデータが記録された記録層情報、最終ユーザデータが記録された領域のアドレス及び欠陥管理のためにデータが代替されたスペア領域の最終アドレスのうち、少なくとも一つを含むことを特徴とする請求項３５に記載の方法。
【請求項４３】
前記情報保存媒体の状態情報は、今後ドライブ情報または前記情報保存媒体の状態情報が記録される領域のアドレスまたは今後ユーザデータが記録される領域のアドレスを表す情報を含むことを特徴とする請求項３５に記載の方法。
【請求項４４】
情報保存媒体において、
ドライブ情報と前記情報保存媒体の状態情報とが記録されるドライブ＆ディスクゾーンを有する、データ記録が可能なゾーンを含む領域と、
ユーザデータ領域とを備え、
前記ドライブ＆ディスクゾーンは、複数の物理的クラスタまたはＥＣＣブロックを含み、
前記情報保存媒体の状態情報と前記ドライブ情報とが記録された少なくとも一つの物理的クラスタまたはＥＣＣブロックの次の物理的クラスタまたはＥＣＣブロックに、アップデートされた前記情報保存媒体の状態情報とアップデートされた前記ドライブ情報とが記録され、
前記ドライブ情報が、前記アップデートされた前記情報保存媒体の状態情報と前記アップデートされた前記ドライブ情報とが記録された物理的クラスタまたはＥＣＣブロックに複写されたことを特徴とする情報保存媒体。
【請求項４５】
情報保存媒体において、
ドライブ情報と前記情報保存媒体の状態情報とが記録されるドライブ＆ディスクゾーンを有する、データ記録が可能なゾーンを含む領域と、
ユーザデータ領域とを備え、
前記ドライブ＆ディスクゾーンは、複数の物理的クラスタまたはＥＣＣブロックを含み、
前記情報保存媒体の状態情報が記録された少なくとも一つの物理的クラスタまたはＥＣＣブロックの次の物理的クラスタまたはＥＣＣブロックにアップデートされた前記情報保存媒体の状態情報が記録され、
アップデートされたドライブ情報は、前記情報保存媒体の前記アップデートされた状態情報が記録された物理的クラスタまたはＥＣＣブロックに選択的に記録されたことを特徴とする情報保存媒体。
【請求項４６】
以前ドライブの情報が前記アップデートされた前記情報保存媒体の状態情報が記録された物理的クラスタまたはＥＣＣブロックに複写されたことを特徴とする請求項４５に記載の情報保存媒体。
【請求項４７】
前記情報保存媒体の前記アップデートされた状態情報は、所定の物理的クラスタまたはＥＣＣブロックの先頭にある第０基本単位に記録され、前記アップデートされたドライブ情報は、前記第０基本単位の次の第１基本単位に記録され、以前ドライブ情報は、第１基本単位の次の基本単位から順次に複写されて記録されたことを特徴とする請求項４４に記載の情報保存媒体。
【請求項４８】
前記アップデートされたドライブ情報は、所定の物理的クラスタまたはＥＣＣブロックの先頭にある第０基本単位に記録され、以前ドライブ情報は、前記第０基本単位の次の基本単位から順次に複写されて記録され、前記情報保存媒体の前記アップデートされた状態情報は、前記複写された以前ドライブ情報が記録された最後の基本単位の次に連続的に記録されたことを特徴とする請求項４４に記載の情報保存媒体。
【請求項４９】
前記アップデートされたドライブ情報は、所定の物理的クラスタまたはＥＣＣブロックの先頭にある第０基本単位に記録され、以前ドライブ情報は、前記第０基本単位の次の基本単位から順次に複写されて記録され、前記情報保存媒体の前記アップデートされた状態情報は、物理的クラスタまたはＥＣＣブロックの最後の基本単位に記録されることを特徴とする請求項４４に記載の情報保存媒体。
【請求項５０】
前記情報保存媒体の前記アップデートされた状態情報は、所定の物理的クラスタまたはＥＣＣブロックの先頭にある基本単位に記録され、前記アップデートされたドライブ情報が記録されていない場合、前記情報保存媒体の状態情報が記録された後の基本単位に以前ドライブ情報が複写されて記録されることを特徴とする請求項４６に記載の情報保存媒体。
【請求項５１】
前記情報保存媒体の前記アップデートされた状態情報は、所定の物理的クラスタまたはＥＣＣブロックの最後の基本単位に記録され、アップデートされたドライブ情報が記録されていない場合、前記所定の物理的クラスタまたはＥＣＣブロックの先頭にある基本単位から順次に以前ドライブ情報が複写されて記録されることを特徴とする請求項４６に記載の情報保存媒体。
【請求項５２】
前記情報保存媒体の前記アップデートされた状態情報は、前記物理的クラスタまたはＥＣＣブロックを構成する一つの基本単位に記録されたことを特徴とする請求項４４に記載の情報保存媒体。
【請求項５３】
前記情報保存媒体の状態情報とドライブ情報とが記録された物理的クラスタまたはＥＣＣブロックの次の物理的クラスタまたはＥＣＣブロックに前記情報保存媒体の状態情報とドライブ情報とが複写されて、反復記録されることを特徴とする請求項４４に記載の情報保存媒体。
【請求項５４】
前記ドライブ＆ディスクゾーンは、リードイン領域またはリードアウト領域のうち少なくとも一つの領域に備えられることを特徴とする請求項４４に記載の情報保存媒体。
【請求項５５】
ユーザデータ領域を除外した領域の書込み可能な領域に、複数の物理的クラスタまたはＥＣＣブロックよりなるドライブ＆ディスクゾーンを備えた情報保存媒体にデータを記録する方法において、
前記ドライブ＆ディスクゾーンの少なくとも一つの物理的クラスタまたはＥＣＣブロックに前記情報保存媒体の状態情報とドライブ情報とを記録する段階と、
前記物理的クラスタまたは、ＥＣＣブロックの次の物理的クラスタまたはＥＣＣブロックに、前記情報保存媒体のアップデートされた状態情報とアップデートされたドライブ情報とを記録する段階と、
前記ドライブ情報を前記アップデートされたドライブ情報を記録した後に、複写して記録する段階とを含むことを特徴とする方法。
【請求項５６】
ユーザデータ領域を除外した領域の書込み可能な領域に複数の物理的クラスタまたはＥＣＣブロックよりなるドライブ＆ディスクゾーンを備えた情報保存媒体にデータを記録する方法において、
前記情報保存媒体の状態情報が更新される度に、前記ドライブ＆ディスクゾーンの異なる物理的クラスタまたはＥＣＣブロックに前記更新された状態情報を記録する段階と、
前記更新された状態情報が記録された物理的クラスタまたはＥＣＣブロックに更新されたドライブ情報を選択的に記録する段階と、を含むことを特徴とする方法。
【請求項５７】
前記情報保存媒体の状態情報が記録された物理的クラスタまたはＥＣＣブロックに、前記ドライブ情報を複写して記録する段階を含むことを特徴とする請求項５６に記載の方法。
【請求項５８】
前記更新された状態情報を所定の物理的クラスタまたはＥＣＣブロックの先頭にある第０基本単位に記録し、前記更新されたドライブ情報を前記第０基本単位の次の第１基本単位に記録し、前記ドライブ情報を複写して第１基本単位の次の基本単位から順次に記録することを特徴とする請求項５５に記載の方法。
【請求項５９】
前記更新されたドライブ情報を所定の物理的クラスタまたはＥＣＣブロックの先頭にある第０基本単位に記録し、前記ドライブ情報を複写して前記第０基本単位の次の基本単位から順次に記録し、前記更新された状態情報を前記複写されたドライブ情報が記録された最後の基本単位の次に連続的に記録することを特徴とする請求項５５に記載の方法。
【請求項６０】
前記更新されたドライブ情報を所定の物理的クラスタまたはＥＣＣブロックの先頭にある第０基本単位に記録し、前記ドライブ情報を複写して前記第０基本単位の次の基本単位から順次に記録し、前記更新された状態情報を物理的クラスタまたはＥＣＣブロックの最後の基本単位に記録することを特徴とする請求項５１に記載の方法。
【請求項６１】
前記更新された状態情報を所定の物理的クラスタまたはＥＣＣブロックの先頭にある基本単位に記録し、更新されたドライブ情報が記録されていない場合、前記更新された状態情報が記録された後の基本単位に前記ドライブ情報を複写して記録することを特徴とする請求項５７に記載の方法。
【請求項６２】
前記更新された状態情報を所定の物理的クラスタまたはＥＣＣブロックの最後の基本単位に記録し、更新されたドライブ情報が記録されていない場合、前記所定の物理的クラスタまたはＥＣＣブロックの先頭にある基本単位から順次に前記ドライブ情報を複写して記録することを特徴とする請求項５７に記載の方法。
【請求項６３】
前記更新された状態情報が前記物理的クラスタまたはＥＣＣブロックを構成する一つの基本単位に記録されることを特徴とする請求項５５に記載の方法。
【請求項６４】
前記情報保存媒体の状態情報とドライブ情報とが記録された物理的クラスタまたはＥＣＣブロックの次の物理的クラスタまたはＥＣＣブロックに、前記情報保存媒体の状態情報とドライブ情報とが複写されて反復記録されることを特徴とする請求項５５に記載の方法。
【請求項６５】
前記ドライブ＆ディスクゾーンは、リードイン領域またはリードアウト領域のうち少なくとも一つの領域に備えられることを特徴とする請求項５５に記載の方法。
【請求項６６】
前記基本単位は、セクターまたはフレームであることを特徴とする請求項５に記載の情報保存媒体。
【請求項６７】
前記ドライブ情報と前記情報保存媒体の状態情報とが記録された物理的クラスタまたはＥＣＣブロックの次の物理的クラスタまたはＥＣＣブロックに前記ドライブ情報と前記情報保存媒体の状態情報とを複写して反復記録したことを特徴とする請求項５に記載の情報保存媒体。
【請求項６８】
前記物理的クラスタまたはＥＣＣブロックの先頭にある基本単位に最新のドライブ情報と前記情報保存媒体の状態情報とが記録され、その次の基本単位に前記ドライブ情報と情報保存媒体の状態情報とが複写されて反復記録されることを特徴とする請求項５に記載の情報保存媒体。
【請求項６９】
前記情報保存媒体の状態情報は、新たなＯＰＣデータが記録された領域のアドレス、最終ドライブ情報と最終情報保存媒体の状態情報とが記録された領域のアドレス、最終ユーザデータが記録された領域のアドレス、記録防止情報、セションの数、記録防止情報及びユーザデータが記録された後、次に付加記録が可能であるか否かを表す情報のうち、少なくとも一つを含むことを特徴とする請求項２に記載の情報保存媒体。
【請求項７０】
前記情報保存媒体の状態情報は、記録モード情報、ファイルシステムの種類に関する情報、ユーザデータが記録された記録層情報、最終ユーザデータが記録された領域のアドレス及び欠陥管理のためにデータが代替されたスペア領域の最終アドレスのうち、少なくとも一つを含むことを特徴とする請求項２に記載の情報保存媒体。
【請求項７１】
前記情報保存媒体の状態情報は、今後ドライブ情報と情報保存媒体の状態情報とが記録される領域のアドレスまたは今後ユーザデータが記録される領域のアドレスを表す情報を含むことを特徴とする請求項２に記載の情報保存媒体。
【請求項７２】
前記ドライブ情報と前記情報保存媒体の状態情報とが記録された物理的クラスタまたはＥＣＣブロックの次の物理的クラスタまたはＥＣＣブロックに、前記ドライブ情報と前記情報保存媒体の状態情報とを複写して反復記録したことを特徴とする請求項１４に記載の情報保存媒体。
【請求項７３】
前記ドライブ情報と前記情報保存媒体の状態情報とが記録された物理的クラスタまたはＥＣＣブロックの次の物理的クラスタまたはＥＣＣブロックに、前記ドライブ情報と前記情報保存媒体の状態情報とを複写して反復記録したことを特徴とする請求項１５に記載の情報保存媒体。
【請求項７４】
前記ドライブ情報と前記情報保存媒体の状態情報とが記録された物理的クラスタまたはＥＣＣブロックの次の物理的クラスタまたはＥＣＣブロックに、前記ドライブ情報と前記情報保存媒体の状態情報とを複写して反復記録したことを特徴とする請求項１６に記載の情報保存媒体。
【請求項７５】
前記ドライブ情報と前記情報保存媒体の状態情報とが記録された物理的クラスタまたはＥＣＣブロックの次の物理的クラスタまたはＥＣＣブロックに、前記ドライブ情報と前記情報保存媒体の状態情報とを複写して反復記録したことを特徴とする請求項１７に記載の情報保存媒体。
【請求項７６】
前記物理的クラスタまたはＥＣＣブロックの先頭にある基本単位に、最新のドライブ情報または情報保存媒体の状態情報が記録され、その次の基本単位に前記ドライブ情報または情報保存媒体の状態情報が複写されて反復記録されることを特徴とする請求項１４に記載の情報保存媒体。
【請求項７７】
前記物理的クラスタまたはＥＣＣブロックの先頭にある基本単位に、最新のドライブ情報または情報保存媒体の状態情報が記録され、その次の基本単位に前記ドライブ情報または情報保存媒体の状態情報が複写されて反復記録されることを特徴とする請求項１５に記載の情報保存媒体。
【請求項７８】
前記物理的クラスタまたはＥＣＣブロックの先頭にある基本単位に、最新のドライブ情報または情報保存媒体の状態情報が記録され、その次の基本単位に前記ドライブ情報または情報保存媒体の状態情報が複写されて反復記録されることを特徴とする請求項１６に記載の情報保存媒体。
【請求項７９】
前記物理的クラスタまたはＥＣＣブロックの先頭にある基本単位に、最新のドライブ情報または情報保存媒体の状態情報が記録され、その次の基本単位に前記ドライブ情報または情報保存媒体の状態情報が複写されて反復記録されることを特徴とする請求項１７に記載の情報保存媒体。
【請求項８０】
前記情報保存媒体の状態情報は、新たなＯＰＣデータが記録された領域のアドレス、最終ドライブ情報または最終情報保存媒体の状態情報が記録された領域のアドレス、最終ユーザデータが記録された領域のアドレス、記録防止情報、セションの数及びユーザデータが記録された後、次に付加記録が可能であるか否かを表す情報のうち、少なくとも一つを含むことを特徴とする請求項１４に記載の情報保存媒体。
【請求項８１】
前記情報保存媒体の状態情報は、記録モード情報、ファイルシステムの種類に関する情報、ユーザデータが記録された記録層情報、最終ユーザデータが記録された領域のアドレス及び欠陥管理のためにデータが代替されたスペア領域の最終アドレスのうち、少なくとも一つを含むことを特徴とする請求項１４に記載の情報保存媒体。
【請求項８２】
前記情報保存媒体の状態情報は、今後ドライブ情報または情報保存媒体の状態情報が記録される領域のアドレスまたは今後ユーザデータが記録される領域のアドレスを表す情報を含むことを特徴とする請求項１４に記載の情報保存媒体。
【請求項８３】
前記基本単位は、セクターまたはフレームであることを特徴とする請求項２７に記載の方法。
【請求項８４】
前記ドライブ情報と前記情報保存媒体の状態情報とが記録された物理的クラスタまたはＥＣＣブロックの次の物理的クラスタまたはＥＣＣブロックに、前記ドライブ情報と前記情報保存媒体の状態情報とを複写して反復記録したことを特徴とする請求項２７に記載の方法。
【請求項８５】
前記物理的クラスタまたはＥＣＣブロックの先頭にある基本単位に、最新のドライブ情報と前記情報保存媒体の状態情報とが記録され、その次の基本単位に前記ドライブ情報と前記情報保存媒体の状態情報とが複写されて反復記録されることを特徴とする請求項２７に記載の方法。
【請求項８６】
前記情報保存媒体の状態情報は、新たなＯＰＣデータが記録された領域のアドレス、最終ドライブ情報と最終情報保存媒体の状態情報とが記録された領域のアドレス、最終ユーザデータが記録された領域のアドレス、記録防止情報、セションの数及びユーザデータが記録された後、次に付加記録が可能であるか否かを表す情報のうち、少なくとも一つを含むことを特徴とする請求項２５に記載の方法。
【請求項８７】
前記情報保存媒体の状態情報は、記録モード情報、ファイルシステムの種類に関する情報、ユーザデータが記録された記録層情報、最終ユーザデータが記録された領域のアドレス及び欠陥管理のためにデータが代替されたスペア領域の最終アドレスのうち、少なくとも一つを含むことを特徴とする請求項２５に記載の方法。
【請求項８８】
前記情報保存媒体の状態情報は、今後ドライブ情報と前記情報保存媒体の状態情報とが記録される領域のアドレスまたは今後ユーザデータが記録される領域のアドレスを表す情報を含むことを特徴とする請求項２５に記載の方法。
【請求項８９】
前記ドライブ情報と前記情報保存媒体の状態情報とが記録された物理的クラスタまたはＥＣＣブロックの次の物理的クラスタまたはＥＣＣブロックに、前記ドライブ情報と前記情報保存媒体の状態情報とを複写して反復記録したことを特徴とする請求項３６に記載の方法。
【請求項９０】
前記物理的クラスタまたはＥＣＣブロックの先頭にある基本単位に、最新のドライブ情報または前記情報保存媒体の状態情報が記録され、その次の基本単位に前記ドライブ情報または前記情報保存媒体の状態情報が複写されて反復記録されることを特徴とする請求項３６に記載の方法。
【請求項９１】
前記情報保存媒体の状態情報は、新たなＯＰＣデータが記録された領域のアドレス、最終ドライブ情報または前記情報保存媒体の最終的な状態情報が記録された領域のアドレス、最終ユーザデータが記録された領域のアドレス、記録防止情報、セションの数及びユーザデータが記録された後、次に付加記録が可能であるか否かを表す情報のうち、少なくとも一つを含むことを特徴とする請求項３６に記載の方法。
【請求項９２】
前記情報保存媒体の状態情報は、記録モード情報、ファイルシステムの種類に関する情報、ユーザデータが記録された記録層情報、最終ユーザデータが記録された領域のアドレス及び欠陥管理のためにデータが代替されたスペア領域の最終アドレスのうち、少なくとも一つを含むことを特徴とする請求項３６に記載の方法。
【請求項９３】
前記情報保存媒体の状態情報は、今後ドライブ情報または前記情報保存媒体の状態情報が記録される領域のアドレスまたは今後ユーザデータが記録される領域のアドレスを表す情報を含むことを特徴とする請求項３６に記載の方法。
【請求項９４】
前記情報保存媒体の前記アップデートされた状態情報は、所定の物理的クラスタまたはＥＣＣブロックの先頭にある第０基本単位に記録され、前記アップデートされたドライブ情報は、前記第０基本単位の次の第１基本単位に記録され、以前ドライブ情報は、第１基本単位の次の基本単位から順次に複写されて記録されたことを特徴とする請求項４５に記載の情報保存媒体。
【請求項９５】
前記情報保存媒体の前記アップデートされた状態情報は、所定の物理的クラスタまたはＥＣＣブロックの先頭にある第０基本単位に記録され、前記アップデートされたドライブ情報は、前記第０基本単位の次の第１基本単位に記録され、以前ドライブ情報は、第１基本単位の次の基本単位から順次に複写されて記録されたことを特徴とする請求項４６に記載の情報保存媒体。
【請求項９６】
前記アップデートされたドライブ情報は、所定の物理的クラスタまたはＥＣＣブロックの先頭にある第０基本単位に記録され、以前ドライブ情報は、前記第０基本単位の次の基本単位から順次に複写されて記録され、前記情報保存媒体の前記アップデートされた状態情報は、前記複写された以前ドライブ情報が記録された最後の基本単位の次に連続的に記録されたことを特徴とする請求項４５に記載の情報保存媒体。
【請求項９７】
前記情報保存媒体の前記アップデートされた状態情報は、前記物理的クラスタまたはＥＣＣブロックを構成する一つの基本単位に記録されたことを特徴とする請求項４５に記載の情報保存媒体。
【請求項９８】
前記情報保存媒体の前記アップデートされた状態情報が前記物理的クラスタまたはＥＣＣブロックを構成する一つの基本単位に記録されたことを特徴とする請求項４６に記載の情報保存媒体。
【請求項９９】
前記情報保存媒体の状態情報とドライブ情報とが記録された物理的クラスタまたはＥＣＣブロックの次の物理的クラスタまたはＥＣＣブロックに、前記情報保存媒体の状態情報とドライブ情報とが複写されて反復記録されることを特徴とする請求項４５に記載の情報保存媒体。
【請求項１００】
前記情報保存媒体の状態情報とドライブ情報とが記録された物理的クラスタまたはＥＣＣブロックの次の物理的クラスタまたはＥＣＣブロックに、前記情報保存媒体の状態情報とドライブ情報とが複写されて反復記録されることを特徴とする請求項４６に記載の情報保存媒体。
【請求項１０１】
前記ドライブ＆ディスクゾーンは、リードイン領域またはリードアウト領域のうち少なくとも一つの領域に備えられることを特徴とする請求項４５に記載の情報保存媒体。
【請求項１０２】
前記更新された状態情報を所定の物理的クラスタまたはＥＣＣブロックの先頭にある第０基本単位に記録し、前記更新されたドライブ情報を前記第０基本単位の次の第１基本単位に記録し、前記ドライブ情報を複写して第１基本単位の次の基本単位から順次に記録することを特徴とする請求項５６に記載の方法。
【請求項１０３】
前記更新された状態情報を所定の物理的クラスタまたはＥＣＣブロックの先頭にある第０基本単位に記録し、前記更新されたドライブ情報を前記第０基本単位の次の第１基本単位に記録し、前記ドライブ情報を複写して第１基本単位の次の基本単位から順次に記録することを特徴とする請求項５７に記載の方法。
【請求項１０４】
前記更新されたドライブ情報を所定の物理的クラスタまたはＥＣＣブロックの先頭にある第０基本単位に記録し、前記ドライブ情報を複写して前記第０基本単位の次の基本単位から順次に記録し、前記更新された状態情報を前記複写されたドライブ情報が記録された最後の基本単位の次に連続的に記録することを特徴とする請求項５６に記載の方法。
【請求項１０５】
前記更新された状態情報は、前記物理的クラスタまたはＥＣＣブロックを構成する一つの基本単位に記録されることを特徴とする請求項５６に記載の方法。
【請求項１０６】
前記情報保存媒体の状態情報とドライブ情報とが記録された物理的クラスタまたはＥＣＣブロックの次の物理的クラスタまたはＥＣＣブロックに、前記情報保存媒体の状態情報とドライブ情報とが複写されて反復記録されることを特徴とする請求項５６に記載の方法。
【請求項１０７】
前記ドライブ＆ディスクゾーンは、前記情報保存媒体のリードイン領域またはリードアウト領域のうち、少なくとも一つの領域に備えられることを特徴とする請求項５６に記載の方法。
【請求項１０８】
前記情報保存媒体は、１回書込み可能な１回記録情報保存媒体であることを特徴とする請求項１に記載の情報保存媒体。
【請求項１０９】
前記情報保存媒体は、複数回書込み可能な再書込み可能な情報保存媒体であることを特徴とする請求項１に記載の情報保存媒体。
【請求項１１０】
前記情報保存媒体は、光ディスクであることを特徴とする請求項１に記載の情報保存媒体。
【発明の詳細な説明】
【技術分野】
【０００１】
本発明はドライブ情報とディスク状態についての情報とが書込み可能な領域のゾーンに記録される情報保存媒体及びその記録方法に関する。
【背景技術】
【０００２】
記録、消去及び再生が可能な光ディスクである４.７ＧＢ  ＤＶＤ−ＲＡＭの場合、ドライブに挿し込まれた後に使われたドライブの情報、例えば、ドライブ製造社の情報、シリアルナンバーのような情報をリードイン領域の再書込み可能なデータ領域であるディスク確認領域に記録するようになっている。これと同様に、２０ＧＢ以上の容量を有する再書込み可能なＨＤ−ＤＶＤでもリードイン領域に複数の物理的クラスタを備えたドライブ領域を備えてドライブ情報を記録する必要がある。
【０００３】
特に、１回書込み可能な情報保存媒体の場合、ディスクテストのためのＯＰＣ（Ｏｐｔｉｍｕｍ  Ｐｏｗｅｒ  Ｃｏｎｔｒｏｌ）領域やドライブ情報領域は、１回のみ記録可能であるため、保存媒体にユーザデータが記録された後、未記録領域に新たなデータを記録する時に迅速なアクセスのためには、ドライブ情報以外にディスク状態についての新たな情報が要求される。
【０００４】
このようにドライブ情報やディスク状態についての情報の記録において、新たなフォーマットの情報保存媒体によって効率的にドライブ情報及びディスク状態情報を記録する方法が提示される必要がある。
【発明の開示】
【発明が解決しようとする課題】
【０００５】
本発明が解決しようとする目的は、前記問題提起を勘案して案出されたものであって、複数のＥＣＣ（Ｅｒｒｏｒ  Ｃｏｒｒｅｃｔｉｎｇ  Ｃｏｄｅ）ブロックまたは物理的クラスタより構成された同一領域にドライブ情報とディスク状態についての情報とを共に記録し、このような情報を利用してドライブの迅速なアクセスが可能であり、ユーザデータを効率的に記録及び／または再生できる情報保存媒体及びその記録方法を提供することである。
【０００６】
本発明の観点または／及び利点は、あるいは以下の説明で述べられるであろうし、またある程度は該説明から明らかになるものであり、または本発明の実施により分かるであろう。
【課題を解決するための手段】
【０００７】
前記目的を解決するために、本発明の一側面による情報保存媒体は、ドライブ情報と前記情報保存媒体の状態情報とが記録されるドライブ＆ディスクゾーンを有する、データ記録が可能なゾーンを含む領域と、ユーザデータ領域とを備え、前記ドライブ＆ディスクゾーンは、複数の物理的クラスタまたはＥＣＣブロックを含み、前記ドライブ情報と前記情報保存媒体の状態情報とが少なくても一つの物理的クラスタまたはＥＣＣブロックに記録されることを特徴とする。
【０００８】
前記目的を解決するために、本発明の他の側面による情報保存媒体は、ドライブ情報と前記情報保存媒体の状態情報とが記録されるドライブ＆ディスクゾーンを有する、データ記録が可能なゾーンを含む領域と、ユーザデータ領域とを備え、前記ドライブ＆ディスクゾーンは、複数の物理的クラスタまたはＥＣＣブロックを含み、前記ドライブ情報と前記情報保存媒体の状態情報とが異なる少なくとも一つの物理的クラスタまたはＥＣＣブロックに記録されることを特徴とする。
【０００９】
前記目的を解決するために本発明の他の側面による情報保存媒体は、ドライブ情報と前記情報保存媒体の状態情報とが記録されるドライブ＆ディスクゾーンを有する、データ記録が可能なゾーンを含む領域と、ユーザデータ領域とを備え、前記ドライブ＆ディスクゾーンは、複数の物理的クラスタまたはＥＣＣブロックを含み、前記情報保存媒体の状態情報と前記ドライブ情報とが記録された少なくとも一つの物理的クラスタまたはＥＣＣブロックの次の物理的クラスタまたはＥＣＣブロックにアップデートされた前記情報保存媒体の状態情報とアップデートされた前記ドライブ情報とが記録され、前記ドライブ情報が、前記アップデートされた前記情報保存媒体の状態情報と前記アップデートされた前記ドライブ情報とが記録された物理的クラスタまたはＥＣＣブロックに複写されたことを特徴とする。
【００１０】
前記目的を解決するために本発明の他の側面による情報保存媒体は、ドライブ情報と前記情報保存媒体の状態情報とが記録されるドライブ＆ディスクゾーンを有する、データ記録が可能なゾーンを含む領域と、ユーザデータ領域と、を備え、前記ドライブ＆ディスクゾーンは、複数の物理的クラスタまたはＥＣＣブロックを含み、前記情報保存媒体の状態情報が記録された少なくとも一つの物理的クラスタまたはＥＣＣブロックの次の物理的クラスタまたはＥＣＣブロックにアップデートされた前記情報保存媒体の状態情報が記録され、アップデートされたドライブ情報は、前記情報保存媒体の前記アップデートされた状態情報が記録された物理的クラスタまたはＥＣＣブロックに選択的に記録されたことを特徴とする。
【００１１】
前記目的を解決するために本発明のさらに他の側面による情報保存媒体にデータを記録する方法は、ユーザデータ領域を除外した領域の書込み可能な領域に備えられたドライブ＆ディスクゾーンが複数の物理的クラスタまたはＥＣＣブロックよりなり、ドライブ情報と情報保存媒体の状態情報とを少なくとも一つの物理的クラスタまたはＥＣＣブロックに記録する段階と、前記ドライブ情報と前記情報保存媒体の状態情報とが新たに更新される度に、前記物理的クラスタまたはＥＣＣブロックと異なる物理的クラスタまたはＥＣＣブロックに新たなドライブ情報と前記情報保存媒体の状態情報とを記録する段階とを含むことを特徴とする。
【００１２】
前記目的を解決するために本発明の他の側面による情報保存媒体にデータを記録する方法は、ユーザデータ領域を除外した領域の書込み可能な領域に備えられたドライブ＆ディスクゾーンが複数の物理的クラスタまたはＥＣＣブロックよりなり、ドライブ情報と前記情報保存媒体の状態情報とを異なる物理的クラスタまたはＥＣＣブロックにそれぞれ記録する段階と、前記ドライブ情報と前記情報保存媒体の状態情報とが新たに更新される度に、前記物理的クラスタまたはＥＣＣブロックと異なる物理的クラスタまたはＥＣＣブロックに新たなドライブ情報と前記情報保存媒体の状態情報とを記録する段階とを含むことを特徴とする。
【００１３】
前記目的を解決するために本発明の他の側面による情報保存媒体にデータを記録する方法は、ユーザデータ領域を除外した領域の書込み可能な領域に複数の物理的クラスタまたはＥＣＣブロックよりなるドライブ＆ディスクゾーンを備えた情報保存媒体にデータを記録する方法において、前記ドライブ＆ディスクゾーンの少なくとも一つの物理的クラスタまたはＥＣＣブロックに前記情報保存媒体の状態情報とドライブ情報とを記録する段階と、前記物理的クラスタまたはＥＣＣブロックの次の物理的クラスタまたはＥＣＣブロックに前記情報保存媒体のアップデートされた状態情報とアップデートされたドライブ情報とを記録する段階と、前記ドライブ情報を前記アップデートされたドライブ情報を記録した後に複写して記録する段階とを含むことを特徴とする。
【００１４】
前記目的を解決するために本発明のさらに他の側面による情報保存媒体にデータを記録する方法は、ユーザデータ領域を除外した領域の書込み可能な領域に複数の物理的クラスタまたはＥＣＣブロックよりなるドライブ＆ディスクゾーンを備えた情報保存媒体にデータを記録する方法において、前記情報保存媒体の状態情報が更新される度に、前記ドライブ＆ディスクゾーンの異なる物理的クラスタまたはＥＣＣブロックに前記更新された状態情報を記録する段階と、前記更新された状態情報が記録された物理的クラスタまたはＥＣＣブロックに更新されたドライブ情報を選択的に記録する段階とを含むことを特徴とする。
【発明を実施するための最良の形態】
【００１５】
以下、本発明による情報保存媒体及びその記録方法について添付された図面を参照して詳細に説明する。
【００１６】
図１は、本発明による情報保存媒体の中心ホールから所定半径以上の領域であるリードイン領域の物理的構造の一例を示す図である。リードイン領域には、データがあらかじめ記録された再生専用領域５と書込み可能な領域１０とが含まれている。再生専用領域５には、ディスクと関連したコントロールデータがピットまたは高周波ウォッブル状に記録されており、このようなデータは、ディスク製造時から基板に記録されて再生のみが可能になっている。
【００１７】
書込み可能な領域１０には、ディスクに欠陥が発生する場合、この欠陥を処理及び管理するための欠陥管理領域（ＤＭＡ：Ｄｅｆｅｃｔ  Ｍａｎａｇｅｍｅｎｔ  Ａｒｅａ）１０ａ、コントロールデータ領域１０ｂ、最適のパワーコントロールのための情報が記録されるＯＰＣ（Ｏｐｔｉｍｕｍ  Ｐｏｗｅｒ  Ｃｏｎｔｒｏｌ）テストゾーン１０ｃ及びバッファ領域１０ｅが備えられる。
【００１８】
ここで、書込み可能な領域１０にドライブ情報とディスク状態についての情報とが共に記録されるドライブ＆ディスク領域１０ｄがさらに備えられる。ドライブ＆ディスク領域１０ｄは、複数の物理的クラスタまたはＥＣＣブロックより構成され、各物理的クラスタまたはＥＣＣブロックは、複数個のセクターまたはデータフレームのような複数個の基本単位で構成されうる。
【００１９】
ドライブ情報は、例えば、製造者情報、製造業者関連情報、製造番号、ドライブのシリアルナンバーを含む。
【００２０】
前記ディスク状態についての情報は、例えば、新たなＯＰＣデータが記録された領域のアドレス、最終ドライブ情報が記録された領域のアドレス、最終ユーザデータが記録された領域のアドレス、セションの数及びユーザデータが記録された後、次に付加記録が可能であるか否かを表す情報のうち少なくとも何れか一つを含む。
【００２１】
また、前記ディスク状態情報は、状態アドレス情報を含みうる。状態アドレス情報は、記録モード情報、ファイルシステムの種類に関する情報及びユーザデータが記録された記録層情報を含む状態情報、最終ユーザデータが記録された領域のアドレス及び欠陥管理のためにデータが代替されたスペア領域の最終アドレスを含む情報である。
【００２２】
本発明による情報保存媒体は、複数の物理的クラスタまたはＥＣＣブロックを備えたドライブ＆ディスク領域１０ｄにドライブ情報と共にディスク状態についての情報が記録されるが、新たなドライブ情報及びディスク状態情報が更新される度に、その前に記録された物理的クラスタまたはＥＣＣブロックと異なる領域に記録される。特に、新たなドライブ情報及びディスク状態情報が更新される度に、その前に記録された物理的クラスタまたはＥＣＣブロックの次の物理的クラスタまたはＥＣＣブロックに記録されることが望ましい。ドライブ＆ディスク領域１０ｄは、ユーザデータが記録される領域を除外した領域に備えられうる。例えば、リードイン領域及びリードアウト領域のうち少なくとも一領域に備えられうる。リードアウト領域は、図示されていないが、図１に示されたリードイン領域と類似した構造を有しうる。
【００２３】
図２を参照するに、本発明の第１実施例による情報保存媒体は、例えば、ドライブ＆ディスク領域１０ｄに第０物理的クラスタまたはＥＣＣブロック１０−０から第ｎ物理的クラスタまたはＥＣＣブロック１０−ｎまで（ｎ＋１）個の物理的クラスタまたはＥＣＣブロックが備えられうる。そして、物理的クラスタまたはＥＣＣブロックは、それぞれ複数のセクターやフレームのような複数の基本単位で構成されうる。以下では、便宜上、物理的クラスタについてのみ説明する。例えば、第０物理的クラスタ１０−０は、第０基本単位１０−０−０から第ｍ基本単位１０−０−ｍまで（ｍ＋１）個の基本単位で構成されうる。
【００２４】
第１実施例によれば、ドライブ情報とディスク状態についての情報とが同じ物理的クラスタに記録される。例えば、まず、第０物理的クラスタ１０−０の第０基本単位１０−０−０にはじめに使われた第０ドライブ情報が記録され、第０物理的クラスタ１０−０の第１基本単位１０−０−１に第０ディスク状態についての情報が記録される。そして、該第０ドライブ情報と第０ディスク状態についての情報とが記録され、残りの領域にはダミーデータが記録される。次いで、他のドライブによってデータの記録及び／または再生がなされる時、この新たなドライブについての情報、すなわち、第１ドライブ情報が第０物理的クラスタ１０−０の次の第１物理的クラスタ１０−１の第０基本単位１０−１−０に記録される。そして、新たなドライブによってデータの記録及び／または再生がなされた場合、この時のディスク状態についての情報、すなわち、第１ディスク状態についての情報が第１物理的クラスタ１０−１の第１基本単位１０−１−１に記録される。この時、新たなドライブ情報とディスク状態についての情報とが記録され、次いで、前記第０ドライブ情報と第０ディスク状態についての情報とが複写されて第２基本単位１０−１−２及び第３基本単位１０−１−３に再び記録される。
【００２５】
前記と同様に、新たなドライブ、すなわち、第２ドライブで記録が行われる時、この第２ドライブについての情報と第２ディスク状態についての情報とがその前に記録された最終的な物理的クラスタ、すなわち、第１物理的クラスタ１０−１の次の第２物理的クラスタ１０−２に記録される。この時、最新のドライブ情報、すなわち、第２ドライブ情報が第２物理的クラスタ１０−２の先頭である第０基本単位１０−２−０に記録され、第２ディスク状態についての情報が第１基本単位１０−２−１に記録される。次いで、前記ドライブ情報とディスク状態についての情報、すなわち、第１ドライブ情報、第１ディスク状態情報、第０ドライブ情報及び第０ディスク状態情報が最新ドライブ情報及び最新ディスク状態情報の次に再び反復的に記録される。
【００２６】
このように、新たなドライブ情報とディスク状態についての情報とが前記物理的クラスタの次の物理的クラスタに新たに記録される度に、前記ドライブ情報とディスク状態情報とが反復されて記録されることは、ドライブ情報とディスク状態についてのヒストリーを知るためのことであって、最新ドライブ情報とディスク状態についての情報とが物理的クラスタの先頭に記録され、以後には、前記ドライブ情報とディスク状態についての情報とが複写されて記録される。したがって、以前にドライブ情報とディスク状態情報とが記録された物理的クラスタを再生する必要なく、最新ドライブ情報とディスク状態情報とが記録された物理的クラスタを再生すれば、従来のドライブ情報とディスク状態についての情報とが何れも分かるため、ドライブ管理やディスク状態についての把握が効率的になされうる。
【００２７】
次いで、ディスク状態についての情報は、例えば、新たなＯＰＣデータが記録された領域のアドレス、最終ドライブ情報とディスク状態情報とが記録された領域のアドレス、最終ユーザデータが記録された領域のアドレス、記録防止情報及びユーザデータが記録された後、次に付加記録が可能であるか否かを表す情報を含むと前述したが、これについて詳細に説明する。
【００２８】
ＯＰＣゾーン１０ｃには、ユーザデータが記録完了する度にユーザデータが記録及び／または再生される時に使われる記録及び／または再生パワーについての情報が記録され、この情報を利用して最適の記録及び／または再生パワーに調節できる。このパワーについての情報として、記録が行われる度に、記録時に使われるパワーに対応する新たなデータが記録される。特に、１回書込み可能な光情報保存媒体である場合、新たなデータが記録される度に、以前に記録されていない新たな領域にＯＰＣデータが記録される。したがって、記録が完了した後に再び新たな記録が行われる場合に、新たなＯＰＣデータが記録される領域を探さなければならない。これにより、迅速なアクセスのために新たに記録されたＯＰＣ領域のアドレスを所定領域に記録することが望ましい。このように、最終的にＯＰＣデータが記録された領域のアドレスをドライブ＆ディスク領域１０ｄに記録し、このディスク状態についての情報を利用して次に新たにデータを記録する時、ＯＰＣ領域全体を再生する必要なく、最終ＯＰＣデータが記録された領域のアドレスを再生することによって、新たなＯＰＣ領域に速かにアクセスしうる。
【００２９】
また、ドライブ関連情報として記録が行われる度に記録を行うドライブについての情報とディスク状態についての情報とが新たに記録される。したがって、ディスク状態についての情報として最終ドライブ情報と最終ディスク状態情報とが記録された領域のアドレスを記録することが望ましい。このように、最終ドライブ情報とディスク状態情報とが記録された領域のアドレスを記録し、次に他のドライブ情報を記録する時、このアドレス情報を再生することによって新たなドライブ情報を記録するか、または新たなディスク状態情報を記録する位置を容易に探せる。
【００３０】
また、ユーザデータの記録が中断され、次に新たな記録が行われる時、ピックアップ記録が行われる領域を探してアクセスしなければならない。よって、迅速なアクセスのために、最終的にユーザデータが記録された領域のアドレスをドライブ＆ディスク領域１０ｄに記録することが有利である。
【００３１】
一方、前記最終ドライブ情報とディスク状態情報とが記録された領域のアドレスまたは最終ユーザデータが記録された領域のアドレスの代りに、今後ドライブ情報とディスク状態情報とが記録される領域のアドレスまたは今後記録されるユーザデータ領域のアドレスを記録することもある。
【００３２】
このように、最新のディスク状態についての情報を含むディスク状態情報が提供されなければ、ユーザデータを記録する時、ＯＰＣテストゾーン１０ｂ、ドライブ＆ディスク領域１０ｄまたはユーザデータ領域全体を再生しなければならないので、非常に長いアクセス時間がかかる。
【００３３】
さらに、ユーザデータ領域を幾つかの区域に分けて使用するかについての情報として、セションの数についての情報がディスク状態情報として記録されうる。例えば、ユーザデータ領域を用途別に区域を分けるか、または容量で区域を分けて使用できるが、これについての情報としてセションの数情報を提供することによってさらに便利にディスクを使用できる。
【００３４】
次いで、ユーザデータの記録が完了した後、この最終記録領域の次にデータが付け加えられて記録されうるか否かを記録することが望ましい。記録をそれ以上行わせないためには、記録が完了した後に付加記録が不可能であることを表すデータを記録し、次いで、付加記録が続けられれば、最終記録領域の次に記録が可能であることを表すデータを記録する。
【００３５】
また、前記ディスク状態情報は、状態アドレス情報を含みうるところ、状態アドレス情報について説明する。
【００３６】
状態アドレス情報は、記録モード情報、ファイルシステムの種類に関する情報及びユーザデータが記録された記録層情報を含む状態情報、最終ユーザデータが記録された領域のアドレス及び欠陥管理のためにデータが代替されたスペア領域のアドレスのうち少なくとも一つを含む。
【００３７】
図１１Ａないし図１１Ｄは、ディスク状態情報に含まれる状態アドレス情報を説明するための図面である。図１１Ａないし図１１Ｄを参照するに、第ｎ物理的クラスタ１０−ｎの第第０基本単位１０−ｎ−０に第ｎディスク状態情報または第ｎドライブ＆ディスク状態情報が記録されている。
【００３８】
状態アドレス情報は、状態情報、最終ユーザデータが記録された領域のアドレス（図面で、Ｌａｓｔ  Ｒｅｃｏｒｄｅｄ  Ａｄｄｒｅｓｓ）及び欠陥管理のためにデータが代替されたスペア領域の最終アドレス（図面で、Ｌａｓｔ  Ｒｅｐｌａｃｅｄ  Ａｄｄｒｅｓｓ）を含む。
【００３９】
図１１Ａは、一つの基本単位にディスク状態情報のみ記録された記録層が一つであるディスクの場合を表し、図１１Ｂは、一つの基本単位にディスク状態情報のみ記録された記録層が一つであるディスクの場合を表し、図１１Ｃは、一つの基本単位にディスク状態情報及びドライブ情報が共に記録された記録層が二つであるディスクの場合を表し、図１１Ｄは、一つの基本単位にディスク状態情報及びドライブ情報が共に記録された記録層が二つであるディスクの場合を表す。
【００４０】
状態情報は、記録モード情報、ファイルシステムの種類に関する情報及び記録層に関する情報を含む。
【００４１】
まず、状態情報のうち記録モード情報は、ディスクに記録されたデータの記録が連続的に記録されているか、またはランダムに記録されているかに関する情報を称す。
【００４２】
ファイルシステムの種類に関する情報とは、コンピュータのハードディスクにファイル形態にデータが記録されるように、本発明による情報保存媒体にデータをファイル単位に記録するためのファイルシステムの種類が何であるかを表す情報である。
【００４３】
記録層に関する情報は、データが記録された記録層が第１記録層（記録層０）であるか、あるいは第２記録層（記録層１）であるかに関する情報である。記録層が一つであるディスクの場合には、記録層０のみが存在するだろう。
【００４４】
次いで、最終ユーザデータが記録された領域のアドレスは、それぞれの記録層のユーザデータ領域でデータが記録されたＥＣＣブロックのアドレスを称す。アドレスがセクター単位に付与される場合、ＥＣＣブロックのアドレスは、当該ブロックの第１セクターのアドレスとなる。
【００４５】
欠陥管理のためにデータが代替されたスペア領域の最終アドレスは、欠陥管理のために割当てられたスペア領域にデータが記録された場合、データが記録された最終ＥＣＣブロックのアドレスを称す。アドレスがセクター単位で付与される場合、ＥＣＣブロックのアドレスは、当該ブロックの第１セクターのアドレスとなる。
【００４６】
図１２Ａ及び図１２Ｂは、最終ユーザデータが記録された領域のアドレスと欠陥管理のためにデータが代替されたスペア領域の最終アドレスとを表す図である。図１２Ａは、ユーザデータ領域にデータが連続的に記録された場合であり、図１２Ｂは、ユーザデータ領域にデータがランダムに記録された場合である。
【００４７】
ユーザデータが記録される領域のユーザデータ領域でデータが記録された最終アドレスと欠陥管理のために割当てられた外側のスペア領域でデータが記録された最終アドレスをディスク状態情報として保存することによって、次期データ記録時にデータを記録できる区間がどこであるかを速かに把握できる。
【００４８】
一方、欠陥管理のための外側のスペア領域にデータを記録する場合には、ユーザデータ領域にデータを記録する場合とは違って、アドレスが大きい領域から小さな領域にデータを記録する。
【００４９】
図１３Ａ及び図１３Ｂは、図１２Ａ及び図１２Ｂに示された外側のスペア領域を説明するための図である。図１３Ａは、シングルレイヤディスクの構造を表し、図１３Ｂは、デュアルレイヤディスクの構造を表す。欠陥管理のための外側のスペア領域は、図１３Ａのシングルレイヤディスクでは“外部スペア領域０”に該当し、図１３Ｂのデュアルレイヤディスクではレイヤ１の“内部スペア領域１”に該当する。
【００５０】
シングルレイヤディスクの“外部スペア領域０”にデータを記録する時には、ディスクの外側から内側に記録し、図１３Ｂのデュアルレイヤディスクの記録層１の“内部スペア領域１”にデータを記録する時には、ディスクの内側から外側に記録する。
【００５１】
図１４Ａないし図１４Ｄは、状態アドレス情報のフォーマットを説明するための図である。
【００５２】
図１４Ａ及び図１４Ｂは、シングルレイヤディスクである場合を表し、図１４Ｃ及び図１４Ｄは、デュアルレイヤディスクである場合を表す。図１４Ａ及び図１４Ｃでは、状態情報が先頭に８ビットで記録された実施例であり、図１４Ｂ及び図１４Ｄは、状態情報がそれぞれ４ビットずつの状態情報１及び状態情報２に分けて記録された実施例を表す。
【００５３】
前記のようなディスク状態に関する情報をユーザデータの記録が完了する度に、リードイン領域またはリードアウト領域にある書込み可能な領域１０のドライブ＆ディスク領域１０ｄに記録し、次にデータを記録する時にこのような情報を利用することによってピックアップがさらに正確かつ速かに当該領域にアクセスでき、さらに効率的にユーザデータを記録及び／または再生できる。このようなディスク状態についての情報は、特に、１回書込み可能な情報保存媒体に有用に適用可能である。
【００５４】
前述したように、第１実施例によってドライブ情報とディスク状態についての情報とを共に記録し、このような情報が新たに更新される度に前記物理的クラスタまたはＥＣＣブロックの次に記録できる。
【００５５】
次いで、本発明の第２実施例による情報保存媒体及びその記録方法について説明する。
【００５６】
図３を参照するに、ドライブ＆ディスク領域１０−ｄが複数の物理的クラスタまたはＥＣＣブロック１０−１，１０−２，．．．，１０−ｎよりなり、各物理的クラスタまたはＥＣＣブロックは、複数のセクターまたはフレームのような複数の基本単位１０−０−０，１０−０−１，．．．，１０−０−ｍより構成される。第２実施例によれば、第０ドライブ情報と第０ディスク状態情報とがそれぞれ異なる物理的クラスタまたはＥＣＣブロックに記録され、以後、他の新たなドライブによって記録及び／または再生される時、この新たなドライブについての情報とディスク状態についての情報とがさらに他の物理的クラスタまたはＥＣＣブロックに記録される。望ましくは、最新のドライブ情報またはディスク状態情報が前記物理的クラスタまたはＥＣＣブロックの次の物理的クラスタまたはＥＣＣブロックに記録されることが望ましい。ここでは、前記ドライブ情報とディスク状態情報とがドライブ＆ディスク領域１０ｄの前から交代に記録される例を図示した。以下では、便宜上、物理的クラスタを例として説明する。
【００５７】
はじめに使われたドライブ、すなわち、第０ドライブ情報が第０物理的クラスタ１０−０に、第０ディスク状態についての情報が第１物理的クラスタ１０−１にそれぞれ記録された後、他のドライブ、すなわち、第１ドライブによってデータの記録及び／または再生が行われる時、第２物理的クラスタ１０−２に第１ドライブ情報と第３物理的クラスタ１０−３に第１ディスク状態情報とがそれぞれ記録される。一方、最新のドライブ情報とディスク状態についての情報とがそれぞれに対応する物理的クラスタの先頭基本単位、すなわち、第０基本単位に記録され、第１基本単位からその前に記録されたドライブ情報とディスク状態情報とが再び反復されて記録されることが望ましい。このように以前に記録された情報を再び反復記録する理由については、前述した通りである。
【００５８】
前記のように、ドライブ情報とディスク状態情報とをそれぞれ異なる物理的クラスタに記録する場合には、ディスク状態情報として最終ドライブ情報が記録された領域のアドレス及び最終ディスク状態情報が記録された領域のアドレスのうち少なくとも何れか一つを記録することが望ましい。
【００５９】
次いで、第３実施例による情報保存媒体及びその記録方法は、図４Ａを参照するに、ドライブ＆ディスク領域１０ｄにドライブ情報とディスク状態情報とを共に記録するが、物理的クラスタまたはＥＣＣブロックを構成する基本単位のうち同じ基本単位にドライブ情報とディスク状態情報とを共に記録することを特徴とする。具体的に説明すれば、第０物理的クラスタ１０−０の第０基本単位１０−０−０に、はじめに使われたドライブ情報、すなわち、第０ドライブ情報と第０ディスク状態情報とが共に記録される。また、他のドライブ、すなわち、第１ドライブによって新たなデータの記録及び／または再生が行われる時、以前にドライブ情報とディスク状態情報とが記録された第０物理的クラスタ１０−０の次の第１物理的クラスタ１０−１の第０基本単位１０−１−０に第１ドライブ情報と第１ディスク状態情報とが共に記録される。そして、第１基本単位１０−１−１に前記第０ドライブ情報と第０ディスク状態情報とが反復記録される。
【００６０】
第１ドライブによるデータの記録及び／または再生が完了した後、さらに他の第２ドライブによってデータの記録及び／または再生がなされる時、前記と同じ方法で第２物理的クラスタ１０−２の第０基本単位１０−２−０に第２ドライブ情報と第２ディスク状態情報とが共に記録され、次いで、第１及び第２基本単位１０−２−１，１０−２−２に前記第１ドライブ情報と第１ディスク状態情報及び第２ドライブ情報と第２ディスク状態情報を複写して反復記録する。
【００６１】
一方、ドライブ情報とディスク状態情報の記録及び再生の信頼性を高めるために、図４Ｂに示されたように、原本のドライブ情報及びディスク状態情報を所定の物理的クラスタに記録し、これを複写したドライブ情報とディスク状態情報とを他の物理的クラスタに記録できる。はじめに使われた第０原本ドライブ情報とディスク状態情報とを第０物理的クラスタ１０−０の第０基本単位１０−０−０に記録し、次いで、その次の第１物理的クラスタ１０−１の第０基本単位１０−１−０に前記第０原本ドライブ情報とディスク状態情報とを複写して記録する。
【００６２】
以後、他のドライブによってデータの記録及び／または再生が行われる場合、ドライブ情報とディスク状態情報が最終的に記録された物理的クラスタの次の物理的クラスタに、原本のドライブ情報とディスク状態情報とを記録し、次いで、その次の物理的クラスタに原本のドライブ情報とディスク状態情報とを複写した複写本ドライブ情報とディスク状態情報とを記録する。ここでは、第３実施例による場合について、原本ドライブ情報とディスク状態情報とを記録し、次いで、複写本ドライブ情報とディスク状態情報とを記録する例を説明したが、前述した第１及び第２実施例についても同一に適用されうる。これにより、原本ドライブ情報及びディスク状態情報が損傷されるか、または欠陥が発生した時にも、複写本ドライブ情報及びディスク状態情報を再生できるので、データの記録及び／または再生性能を向上させうる。
【００６３】
前述した第３実施例によって同じ基本単位にドライブ情報とディスク状態情報とを共に記録する場合、この基本単位の内部構造を図５に詳細に示した。
【００６４】
本発明の第４実施例による情報保存媒体及びその記録方法は、図６Ａ及び図６Ｂに示されたように、ユーザデータ領域を除外した領域、例えば、リードイン領域またはリードアウト領域の書込み可能な領域に備えられたドライブ＆ディスク領域１０−ｄを二つの領域に分けて、前側領域にはドライブ関連情報が記録され、後側領域にはディスク状態情報が記録されることを特徴とする。図６Ａは、ドライブ＆ディスク領域１０−ｄが前側領域と後側領域とに分けられて使われる以外には、図１と同じであるので、ここではその詳細な説明を省略する。
【００６５】
ドライブ＆ディスク領域１０−ｄが、例えば、図６Ｂに示されたように、（ｎ＋１）個の物理的クラスタまたはＥＣＣブロックよりなるという時、ドライブ＆ディスク領域の前側半分の領域にはドライブ情報が記録され、後側半分の領域にはディスク状態情報が記録される。（ｎ＋１）個の物理的クラスタよりなる場合、第０物理的クラスタ１０−０から（ｎ−１）／第２物理的クラスタ１０−（ｎ−１）／２まで新たなドライブ情報が更新される度に順次にドライブ情報が記録される。このように、（ｎ＋１）／第２物理的クラスタ１０−（ｎ＋１）／２から第ｎ物理的クラスタ１０−ｎまで新たなディスク状態情報が更新される度に順次にディスク状態情報が記録される。
【００６６】
さらに具体的に説明すると、第０物理的クラスタ１０−０の第０基本単位１０−０−０に第０ドライブ情報が記録され、次いで、（ｎ＋１）／第２物理的クラスタ１０−（ｎ＋１）／２の第０基本単位１０−（ｎ＋１）／２に第０ディスク状態情報が記録される。そして、新たなドライブ、すなわち、第１ドライブによってデータの記録及び／または再生が行われる時、第１ドライブ情報が第１物理的クラスタ１０−１の第０基本単位１０−１−０に記録される。ここで、第０基本単位１０−１−０の次の第１基本単位１０−１−１に前記第０ドライブ情報が複写されて記録されることが望ましい。このように、第１ディスク状態情報が（ｎ＋３）／第２物理的クラスタ１０−（ｎ＋３）／２の第０基本単位１０−（ｎ＋３）／２−０に記録され、その次の基本単位に前記第０ディスク状態情報が反復記録される。
【００６７】
前述した第１ないし第４実施例で、ドライブ情報を先に記録し、次いで、ディスク状態についての情報を記録する場合を説明したが、ディスク状態についての情報を先に記録し、次いで、ドライブ情報を記録することもある。
【００６８】
図７Ａは、本発明の第５実施例による光情報保存媒体の記録方法の一例を説明するための図面である。ドライブ＆ディスク領域１０ｄに第０物理的クラスタまたはＥＣＣブロック１０−０から第ｎ物理的クラスタまたはＥＣＣブロック１０−ｎまで（ｎ＋１）個の物理的クラスタまたはＥＣＣブロックが備えられうる。そして、例えば、第０物理的クラスタ１０−ｎは、第０基本単位１０−０−０から第ｍ基本単位１０−０−ｍまで（ｍ＋１）個の基本単位で構成されうる。
【００６９】
第５実施例による光情報保存媒体の記録方法では、ドライブ情報とディスク状態情報とが更新される時、前記既存のディスク状態情報は記録せず、更新されるディスク状態情報のみを記録することを特徴とする。これに比べて、ドライブ情報については、更新されるドライブ情報を記録し、次いで、前記既存のドライブ情報を複写して反復記録する。このような方法で更新されるディスク状態情報と更新されるドライブ情報とを記録する時、記録する位置が変わりうる。
【００７０】
例えば、図７Ａに示されたように、ディスク状態情報が物理的クラスタまたはＥＣＣブロックの先頭に記録され、ドライブ情報がその後に続いて記録されうる。具体的に、第０物理的クラスタ１０−ｎの第０基本単位１０−０−０にはじめに使われた第０ディスク状態情報が記録され、第０物理的クラスタ１０−０の第１基本単位１０−０−１に第０ドライブ情報が記録される。そして、残りの領域には、ダミーデータが記録される。次いで、他の種類のディスク及びドライブによってデータの記録及び／または再生が行われる時、この新たなディスクについての情報、すなわち、第１ディスク情報が第１物理的クラスタ１０−１の第０基本単位１０−１−０に記録される。そして、第１基本単位１０−１−１に新たなドライブ情報、すなわち、第１ドライブ情報が記録される。次いで、前記第０ドライブ情報が複写されて第２基本単位１０−１−２に記録される。
【００７１】
次いで、第２ディスク情報と第２ドライブ情報とが第２物理的クラスタ１０−２に記録される時、更新された情報である第２ディスク情報が第０基本単位１０−２−０に記録され、以前の第１ディスク情報や第０ディスク情報は記録されない。そして、ドライブ情報については、第２ドライブ情報が第１基本単位１０−２−１に記録され、第１ドライブ情報と第０ドライブ情報とが第２基本単位１０−２−２及び第３基本単位１０−２−３に順次に記録される。
【００７２】
第５実施例では、ディスク状態情報については、新たにアップデートされる情報のみ記録され、以前のディスク状態情報は、再び反復されて記録されない。一方、ドライブ情報については、新たにアップデートされる情報と共に以前のドライブ情報が複写されて記録される。
【００７３】
ディスク状態情報は、例えば、新たなＯＰＣデータが記録された領域のアドレス、最終ドライブ情報または最終ディスク状態情報が記録された領域のアドレス、最終ユーザデータが記録された領域のアドレス、記録防止情報、セションの数、ユーザデータが記録された後、次に付加記録が可能であるか否かを表す情報、今後ドライブ情報またはディスク状態情報が記録される領域のアドレス及び今後ユーザデータが記録される領域のアドレスを表す情報のうち少なくとも何れか一つでありうる。このようなディスク情報のうち何れか一つのアドレスが変更された時、それ以前のアドレスについての情報は不要である。したがって、ディスク情報については、アップデートされた情報についてのみ記録することが望ましい。
【００７４】
一方、新たなドライブ情報のうち以前に使われたドライブ情報と類似または同じ情報がある場合、既存情報を利用してドライブをさらに容易にセッティングできる。このように既存に使われたドライブ情報が再び使われる可能性があるため、ドライブ情報についてはアップデートされるドライブ情報と共に既存ドライブ情報が記録されることが望ましい。
【００７５】
一方、図７Ｂに示されたように、ディスク情報とドライブ情報の信頼性を確保するために、同じディスク情報とドライブ情報とを複写して他の物理的クラスタに記録できる。例えば、第０物理的クラスタ１０−０に第０ディスク情報と第０ドライブ情報とが記録される時、第１物理的クラスタ１０−１に第０ディスク情報と第０ドライブ情報とが反復して記録されうる。また、アップデートされた第１ディスク情報が第２物理的クラスタ１０−２の第０基本単位１０−２−０に記録され、第１ドライブ情報が第１基本単位１０−２−１に、第０ドライブ情報が第２基本単位１０−２−２に記録され、これらディスク情報とドライブ情報とが第３物理的クラスタ１０−３に複写されて記録される。
【００７６】
第５実施例による他の例が図８Ａに示されている。
【００７７】
この例では、更新されるドライブ情報が所定の物理的クラスタの先頭にある基本単位に記録され、次いで、前記ドライブ情報が複写されて反復記録される。そして、更新されるディスク状態情報が物理的クラスタの最後の基本単位に記録される。
【００７８】
具体的に、第１物理的クラスタ１０−０の第０基本単位１０−０−０に第０ドライブ情報が記録され、最後の基本単位である第ｍ基本単位１０−０−ｍに第０ディスク状態情報が記録される。そして、ドライブ情報とディスク状態情報とが更新される時、第１物理的クラスタ１０−１の第０基本単位１０−１−０に更新される第１ドライブ情報が記録され、第１基本単位１０−１−１に前記第０ドライブ情報が複写されて記録される。また、第１物理的クラスタ１０−１の第ｍ基本単位１０−１−ｍに更新される第１ディスク状態情報が記録される。ドライブ情報とディスク状態情報とが更新される度に、これと同じ方法で記録が行われる。
【００７９】
このような方法では、更新されるディスク状態情報が記録される位置を最後の記録単位と確定できる利点がある。
【００８０】
一方、図８Ｂのように、ディスク状態情報とドライブ情報の信頼性を確保するために、同一ディスク状態情報とドライブ情報とを複写して他の物理的クラスタに反復記録できる。
【００８１】
次いで、本発明による第５実施例の他の例が図９に示されている。ここでは、ドライブ情報が先に記録され、ドライブ情報が記録された最後の領域の次に連続的に更新されたディスク状態情報が記録される。
【００８２】
例えば、第０物理的クラスタ１０−０の第０基本単位１０−０−０に第０ドライブ情報が記録され、第１基本単位１０−０−１に第０ディスク状態情報が記録される。そして、ドライブ情報とディスク状態情報とが更新される時、更新されたドライブ情報が第１物理的クラスタ１０−１の第０基本単位１０−１−０に記録され、第１基本単位１０−１−１に前記第０ドライブ情報が複写されて記録される。次いで、第２基本単位１０−１−２に更新されたディスク状態情報が記録される。
【００８３】
この例では、更新されるドライブ情報が物理的クラスタの先頭に記録され、次いで、前記ドライブ情報が複写されて記録され、ドライブ情報が記録された最後の基本単位の次に連続的に更新されるディスク状態情報が記録される。
【００８４】
また、図示されていないが、図９に示された方法でディスク状態情報とドライブ情報とを記録する時、情報の信頼性を高めるために前記ドライブ及びディスク状態情報を次の物理的クラスタに反復記録できる。
【００８５】
一方、前記基本単位は、セクターまたはデータフレームであり、特に、更新されるディスク状態情報は、一つの基本単位に記録させうる。
【００８６】
次いで、図１０Ａを参照して、本発明の第６実施例による情報保存媒体及びその記録方法について説明する。
【００８７】
第６実施例では、ディスク状態情報は、更新される度に記録し、ドライブ情報は、使用するドライブの規定によって選択的に記録する。
【００８８】
例えば、第１及び第２に使用するドライブでは、ドライブ情報を記録しないと規定されており、第３及び第４に使用するドライブでは、ドライブ情報を記録すると規定されている。ここで、第１ドライブで保存媒体に情報を記録／再生する時、第０物理的クラスタ１０−０の第０基本単位１０−０−０に第０ディスク状態情報が記録され、ドライブ情報は記録されない。第２に使われるドライブでもドライブ情報については記録しないと規定されているので、第１物理的クラスタ１０−１の第０基本単位１０−１−０に第１ディスク状態情報が記録され、ドライブ情報は記録されない。
【００８９】
次いで、第３ドライブを利用して保存媒体に情報を記録／再生する時、第２物理的クラスタ１０−２の第０基本単位１０−２−０に第２ディスク状態情報が記録され、第１基本単位１０−２−１に第０ドライブ情報が記録される。次いで、第４のドライブを利用して保存媒体に情報を記録／再生する時、第３物理的クラスタ１０−３の第０基本単位１０−３−０に第３ディスク状態情報が記録され、第１基本単位１０−３−１に第１ドライブ情報が記録される。そして、第２基本単位１０−３−２に、前記第０ドライブ情報が複写されて記録される。
【００９０】
前記のように第６実施例による情報保存媒体の記録方法は、更新されるディスク状態情報を必須的に記録する段階と、更新されるドライブ情報をドライブの規定によって選択的に記録する段階とを含む。また、使用するドライブでドライブ情報について記録しないと規定されている時、更新されるドライブ情報は記録されず、前記既存のドライブ情報を記録する段階を含む。
【００９１】
図１０Ｂには、本発明の第６実施例による情報保存媒体の記録方法の他の例が示されている。ここでは、第１に使われるドライブではドライブ情報を記録しないとなっており、第２及び第３に使われるドライブではドライブ情報を記録するとなっており、第４に使われるドライブではドライブ情報を記録しないとなっている。
【００９２】
前記例によれば、第１ドライブで保存媒体に情報を記録／再生する時、第０物理的クラスタ１０−０の第０基本単位１０−０−０に第０ディスク状態情報が記録され、ドライブ情報は記録されない。次いで、第２に使われるドライブでは、第１物理的クラスタ１０−１の第０基本単位１０−１−０に第１ディスク状態情報が記録され、第１基本単位１０−１−１に第０ドライブ情報が記録される。第３に使われるドライブでは、第２物理的クラスタ１０−２の第０基本単位１０−２−０に第２ディスク状態情報が記録され、第１基本単位１０−２−１に第１ドライブ情報が記録される。次いで、第２基本単位１０−２−２に前記第０ドライブ情報が複写されて記録される。
【００９３】
次いで、第４に使われるドライブでは、ドライブ情報が記録されないと規定されているので、第３物理的クラスタ１０−３の第０基本単位１０−３−０に第３ディスク状態情報が記録され、更新されるドライブ情報は記録されない。一方、第１基本単位１０−３−１と第２基本単位１０−３−２とに前記第１及び第０ドライブ情報が複写されて記録される。
【００９４】
前述した例では、更新されたディスク状態情報が物理的クラスタの先頭に位置する第０基本単位に記録され、次いで、ドライブ情報が記録される。しかし、これと違って、更新されたディスク状態情報を物理的クラスタの最後の基本単位に記録することも可能である。例えば、前述した例のうち一つとして、第１及び第２に使用するドライブでは、ドライブ情報を記録しないと規定されており、第３及び第４に使用するドライブでは、ドライブ情報を記録すると規定されている場合を仮定する。このような場合、図１０Ｃに示されたように、第０ディスク状態情報を第０物理的クラスタ１０−０の最後の基本単位１０−０−ｍに記録し、第４の物理的クラスタ１０−１の最後の基本単位１０−１−ｍに第１ディスク状態情報を記録する。この時、ドライブ情報は記録されない。
【００９５】
次いで、第２物理的クラスタ１０−２の第０基本単位１０−２−０には、第０ドライブ情報が記録され、最後の基本単位１０−２−ｍには、第２ディスク状態情報が記録される。次いで、第３物理的クラスタ１０−３の第０基本単位１０−３−０には、第１ドライブ情報が記録され、第１基本単位１０−３−１には、前記第０ドライブ情報が複写されて記録される。そして、最後の基本単位１０−３−ｍには、第３ディスク状態情報が記録される。
【００９６】
前記のように更新されるディスク状態情報は、物理的クラスタの最後の基本単位に必須的に記録され、更新されるドライブ情報は、使用するドライブ規定によって選択的に各物理的クラスタの先頭に記録されうる。次いで、前記既存のドライブ情報が複写されて記録される方式で記録されうる。
【００９７】
一方、第６実施例による情報保存媒体の記録方法を適用しつつ、前記ディスク状態情報とドライブ情報とを次の物理的クラスタに反復して記録することによって情報の信頼性を確保できる。
【００９８】
次いで、本発明による情報保存媒体の記録方法は、ユーザデータ領域を除外した領域、例えば、リードイン領域またはリードアウト領域の書込み可能な領域に備えられたドライブ＆ディスク領域１０ｄにドライブ情報とディスク状態情報とを記録する。ドライブ＆ディスク領域１０ｄは、複数の物理的クラスタまたはＥＣＣブロックよりなり、新たなドライブ情報とディスク状態情報とを更新する度に、前記物理的クラスタまたはＥＣＣブロックと異なる物理的クラスタまたはＥＣＣブロックに新たなドライブ情報とディスク状態情報とを記録する。
【００９９】
ドライブ情報とディスク状態情報とを同じ物理的クラスタまたはＥＣＣブロックに記録するか、または異なる物理的クラスタまたはＥＣＣブロックに記録することが可能である。また、物理的クラスタまたはＥＣＣブロックは、例えば、セクターやフレームのような基本単位の複数個より構成されるが、ドライブ情報とディスク状態情報とを同じ物理的クラスタに記録する場合に、同じ物理的クラスタ内にあるそれぞれ異なる基本単位に記録する方法（図２参照）と同じ基本単位に共に記録する方法（図４Ａ参照）とがある。
【０１００】
これ以外に、ドライブ情報とディスク状態情報とをそれぞれ異なる物理的クラスタまたはＥＣＣブロックに記録する場合に、新たなドライブ情報とディスク状態情報とが記録される時、ドライブ＆ディスク領域１０ｄの前にある物理的クラスタまたはＥＣＣブロックから交代にドライブ情報とディスク状態情報とを記録できる（図３参照）。または、ドライブ＆ディスク領域１０ｄを二つの領域に分け、前側領域の物理的クラスタまたはＥＣＣブロックに順次にドライブ情報及びディスク状態情報のうち何れか一つを記録し、後側領域の物理的クラスタまたはＥＣＣブロックに順次に残りの他の情報を記録する方法がある（図６Ｂ参照）。この時、最新のドライブ情報及びディスク状態情報のうち何れか一つが前側領域に先に記録され、次いで、残りの情報が後側領域に記録される。前述したように、多様な方法を通じてドライブ情報とディスク状態情報とが記録されうる。
【０１０１】
これと違って、ディスク状態情報とドライブ情報とが更新される時、更新されるディスク状態情報のみを記録し、前記ディスク状態情報は記録しないことが可能である。そして、ドライブ情報については、更新されるドライブ情報と共に前記ドライブ情報が反復記録される。
【０１０２】
図７Ａに示されたように、更新されるディスク情報が新たな物理的クラスタの先頭にある第０基本単位に記録され、更新されるドライブ情報がその次の第１基本単位に記録されうる。また、前記ドライブ情報が第２基本単位から順次に記録されうる。このように、ディスク情報については、更新される情報のみを記録することによって、ドライブ＆ディスク領域を効率的に活用できる。
【０１０３】
また、図８Ａに示されたように、更新されるドライブ情報が所定の物理的クラスタの先頭にある第０基本単位に記録され、次いで、前記ドライブ情報が複写されて反復記録されうる。一方、更新されるディスク状態情報は、前記所定の物理的クラスタの最後の基本単位に記録されうる。または、図９に示されたように、更新されるドライブ情報と既存のドライブ情報とが記録され、ドライブ情報が最後に記録された基本単位の次に更新されるディスク状態情報が記録されうる。
【産業上の利用可能性】
【０１０４】
本発明による情報保存媒体及びその記録方法は、ドライブ情報とディスク状態情報とが記録される領域を効率的に使用できる方法を提示し、新たなフォーマットに適用できるドライブ情報とディスク状態情報の記録方法を提供する。
【０１０５】
本発明による情報保存媒体及びその記録方法は、数回反復書込み可能な情報保存媒体だけでなく、１回書込み可能な情報保存媒体にも有用に適用されうる。特に、１回書込み可能な情報保存媒体にドライブ情報とディスク状態情報とを記録する場合、一つの物理的クラスタまたはＥＣＣブロックには、１回記録のみ可能であるので、次に新たなドライブ情報とディスク状態情報とが記録される時には、既に記録された物理的クラスタまたはＥＣＣブロックが使われえない。したがって、最終的にドライブ情報とディスク状態情報とが記録された物理的クラスタまたはＥＣＣブロックの次の物理的クラスタまたはＥＣＣブロックに新たなドライブ情報とディスク状態情報とを記録しなければならないので、本発明の記録方法を使用することが望ましい。
【０１０６】
また、数回反復書込み可能な情報保存媒体の場合には、最終ドライブ情報とディスク状態情報とが記録された領域に既存の全てのドライブ情報とディスク状態情報とが共に記録されているので、最終ドライブ情報とディスク状態情報とが記録された領域のみを再生することによって、効率的にドライブ＆ディスク領域を管理できる利点がある。
【０１０７】
また、ユーザデータが記録完了する度に、最新のディスク状態についての情報が記録されるので、次に記録が行われる時に、ピックアップが正確な位置に速かに接近でき、最新のディスク状態についての情報を提供されてユーザデータを記録できるので、記録／再生性能が向上しうる。
【図面の簡単な説明】
【０１０８】
【図１】本発明によるリードイン領域またはリードアウト領域のデータ構造を示す図である。
【図２】本発明の第１実施例による情報保存媒体及びその記録方法を説明するための図である。
【図３】本発明の第２実施例による情報保存媒体及びその記録方法を説明するための図である。
【図４Ａ】本発明の第３実施例による情報保存媒体及びその記録方法を説明するための図である。
【図４Ｂ】本発明の第３実施例による情報保存媒体及びその記録方法を説明するための図である。
【図５】本発明による情報保存媒体のドライブ＆ディスク領域にドライブ及びディスク状態情報が記録された例を示す図である。
【図６Ａ】本発明の第４実施例による情報保存媒体及びその記録方法を説明するための図である。
【図６Ｂ】本発明の第４実施例による情報保存媒体及びその記録方法を説明するための図である。
【図７Ａ】本発明の第５実施例による情報保存媒体及びその記録方法を説明するための図である。
【図７Ｂ】本発明の第５実施例による情報保存媒体及びその記録方法を説明するための図である。
【図８Ａ】本発明の第５実施例による情報保存媒体及びその記録方法の他の例を説明するための図である。
【図８Ｂ】本発明の第５実施例による情報保存媒体及びその記録方法の他の例を説明するための図である。
【図９】本発明の第５実施例による情報保存媒体及びその記録方法の他の例を説明するための図である。
【図１０Ａ】本発明の第６実施例による情報保存媒体及びその記録方法の例を説明するための図である。
【図１０Ｂ】本発明の第６実施例による情報保存媒体及びその記録方法の例を説明するための図である。
【図１０Ｃ】本発明の第６実施例による情報保存媒体及びその記録方法の例を説明するための図である。
【図１１Ａ】本発明による情報保存媒体に記録される状態アドレス情報を説明するための図である。
【図１１Ｂ】本発明による情報保存媒体に記録される状態アドレス情報を説明するための図である。
【図１１Ｃ】本発明による情報保存媒体に記録される状態アドレス情報を説明するための図である。
【図１１Ｄ】本発明による情報保存媒体に記録される状態アドレス情報を説明するための図である。
【図１２Ａ】最終ユーザデータが記録された領域のアドレスと欠陥管理のためにデータが対峙した外側のスペア領域の最終アドレスとを示す図である。
【図１２Ｂ】最終ユーザデータが記録された領域のアドレスと欠陥管理のためにデータが対峙した外側のスペア領域の最終アドレスとを示す図である。
【図１３Ａ】図１２Ａ及び図１２Ｂに示された外側のスペア領域を説明するための図である。
【図１３Ｂ】図１２Ａ及び図１２Ｂに示された外側のスペア領域を説明するための図である。
【図１４Ａ】状態アドレス情報のフォーマットの実施例を示す図である。
【図１４Ｂ】状態アドレス情報のフォーマットの実施例を示す図である。
【図１４Ｃ】状態アドレス情報のフォーマットの実施例を示す図である。
【図１４Ｄ】状態アドレス情報のフォーマットの実施例を示す図である。
【図１】
2005535056.tif 000003
【図２】
2005535056.tif 000004
【図３】
2005535056.tif 000005
【図４Ａ】
2005535056.tif 000006
【図４Ｂ】
2005535056.tif 000007
【図５】
2005535056.tif 000008
【図６Ａ】
2005535056.tif 000009
【図６Ｂ】
2005535056.tif 000010
【図７Ａ】
2005535056.tif 000011
【図７Ｂ】
2005535056.tif 000012
【図８Ａ】
2005535056.tif 000013
【図８Ｂ】
2005535056.tif 000014
【図９】
2005535056.tif 000015
【図１０Ａ】
2005535056.tif 000016
【図１０Ｂ】
2005535056.tif 000017
【図１０Ｃ】
2005535056.tif 000018
【図１１Ａ】
2005535056.tif 000019
【図１１Ｂ】
2005535056.tif 000020
【図１１Ｃ】
2005535056.tif 000021
【図１１Ｄ】
2005535056.tif 000022
【図１２Ａ】
2005535056.tif 000023
【図１２Ｂ】
2005535056.tif 000024
【図１３Ａ】
2005535056.tif 000025
【図１３Ｂ】
2005535056.tif 000026
【図１４Ａ】
2005535056.tif 000027
【図１４Ｂ】
2005535056.tif 000028
【図１４Ｃ】
2005535056.tif 000029
【図１４Ｄ】
2005535056.tif 000030
【国際調査報告】
2005535056.tif 000031